(57)【要約】      （修正有）【課題】ＰＣＬアプリケーションのための、広帯域事前検出信号を処理するシステムおよび方法を提供する。【解決手段】信号を受信し、変換,チャネル歪みの補償,復調し、複素数を形成する。また、復調信号から基準信号および目標物信号を推定する。この目標物信号内の基準信号の一部を減らすため、基準信号は、目標物信号に関して適応的にフィルタリングし、目標物信号と結合して、基準信号の一部を減らす。目標物信号および基準信号に対して逆変換オペレーションを実施し、出力目標物信号について、複数の目標物ビームを形成する。複数の目標物ビームのそれぞれについて、間引きした複数のラグ積を形成する。基準信号について、間引きした複数のラグ積を形成する。複数の目標物ビームのそれぞれについてクロスアンビギュイティ関数を推定する。基準信号についての上記間引きした複数のラグ積を用いて、基準信号についてオートアンビギュイティ関数を推定する。【選択図】図２
2010044081.tif 000002
【特許請求の範囲】
【請求項１】
パッシブコヒーレント探索（ＰＣＬ）アプリケーションにおいて広帯域事前検出信号を処理する方法であって、
統制されていない放射器からの直接経路上で受信される基準信号と、目標物から反射される前記基準信号を含む目標物信号とを受信すること、
前記目標物信号から、特定の方位線および仰角線に沿って選択性を有する複数の目標物ビームを形成すること、
前記複数の目標物ビームのそれぞれについて複数のラグ積を形成することであって、
前記目標物ビームのそれぞれについての前記複数のラグ積は、前記目標物ビームに対して実行される介在的な演算を含まない前記目標物ビームと、互いに異なる遅延を有する複数の基準信号との積を含み、
前記互いに異なる遅延を有する前記複数の基準信号は、時間領域において前記基準信号に一つまたは複数の単位遅延演算子（ｚ−１）を作用させるオペレーションによって生成される
前記複数の目標物ビームのそれぞれについて複数のラグ積を形成すること、
前記複数の目標物ビームのそれぞれについて前記複数のラグ積のそれぞれを間引くこと、
前記基準信号について複数のラグ積を形成することであって、
前記基準信号についての前記複数のラグ積は、前記基準信号に対して実行される介在的な演算を含まない前記基準信号と、互いに異なる遅延を有する複数の基準信号との積を含み、
前記互いに異なる遅延を有する前記複数の基準信号は、時間領域において前記基準信号に一つまたは複数の単位遅延演算子（ｚ−１）を作用させるオペレーションによって生成される
前記基準信号について複数のラグ積を形成すること、
前記基準信号について前記複数のラグ積のそれぞれを間引くこと、および
前記複数の目標物ビームのそれぞれについての前記間引きした複数のラグ積を用いて、前記複数の目標物ビームのそれぞれについてクロスアンビギュイティ関数を推定すること
を含む広帯域事前検出信号を処理する方法。
【請求項２】
パッシブコヒーレント探索（ＰＣＬ）アプリケーションにおいて広帯域事前検出信号を処理する方法であって、
統制されていない放射器からの直接経路上で受信される基準信号と、目標物から反射される前記基準信号を含む目標物信号とを受信すること、
前記目標物信号から、特定の方位線および仰角線に沿って選択性を有する複数の目標物ビームを形成すること、
前記複数の目標物ビームのそれぞれについて複数のラグ積を形成することであって、
前記目標物ビームのそれぞれについての前記複数のラグ積は、前記目標物ビームに対して実行される介在的な演算を含まない前記目標物ビームと、互いに異なる遅延を有する複数の基準信号との積を含み、
前記互いに異なる遅延を有する前記複数の基準信号は、時間領域において前記基準信号に一つまたは複数の単位遅延演算子（ｚ−１）を作用させるオペレーションによって生成される
前記複数の目標物ビームのそれぞれについて複数のラグ積を形成すること、
前記複数の目標物ビームのそれぞれについて前記複数のラグ積のそれぞれを間引くこと、
前記基準信号について複数のラグ積を形成することであって、
前記基準信号についての前記複数のラグ積は、前記基準信号に対して実行される介在的な演算を含まない前記基準信号と、互いに異なる遅延を有する複数の基準信号との積を含み、
前記互いに異なる遅延を有する前記複数の基準信号は、時間領域において前記基準信号に一つまたは複数の単位遅延演算子（ｚ−１）を作用させるオペレーションによって生成される
前記基準信号について複数のラグ積を形成すること、
前記基準信号について前記複数のラグ積のそれぞれを間引くこと、および
前記基準信号についての前記間引きした複数のラグ積を用いて、前記基準信号についてオートアンビギュイティ関数を推定すること
を含む広帯域事前検出信号を処理する方法。
【請求項３】
前記基準信号の二乗平均平方根（ＲＭＳ）帯域幅を計算することをさらに含む請求項１または２に記載の広帯域事前検出信号を処理する方法。
【請求項４】
入力信号から前記基準信号および前記目標物信号を推定することをさらに含む請求項１または２に記載の広帯域事前検出信号を処理する方法。
【請求項５】
前記基準信号を推定することは、前記入力信号から前記基準信号の大きさを推定することを含む請求項４に記載の広帯域事前検出信号を処理する方法。
【請求項６】
前記入力信号をフィルタリングすることであって、それによって、チャネル歪みを補償する、フィルタリングすることをさらに含む請求項４に記載の広帯域事前検出信号を処理する方法。
【請求項７】
パッシブコヒーレント探索（ＰＣＬ）アプリケーションのための、広帯域事前検出信号を処理する方法であって、
目標物信号および基準信号を含む入力信号を受信することであって、前記基準信号は統制されていない放射器からの直接経路上で受信され、前記目標物信号は目標物から反射される前記基準信号を含む、入力信号を受信すること、
前記入力信号から前記基準信号および前記目標物信号を推定すること、
前記目標物信号内の前記基準信号の一部を減らすことであって、前記基準信号は前記目標物信号に関して適応的にフィルタリングされ、前記目標物信号と結合して、出力目標物信号を形成する、前記基準信号の一部を減らすこと、
前記出力目標物信号について、特定の方位線および仰角線に沿って選択性を有する複数の目標物ビームを形成すること、
前記複数の目標物ビームのそれぞれについて、間引きした複数のラグ積を形成することであって、
前記目標物ビームのそれぞれについての前記複数のラグ積は、前記目標物ビームに対して実行される介在的な演算を含まない前記目標物ビームと、互いに異なる遅延を有する複数の基準信号との積を含み、
前記互いに異なる遅延を有する前記複数の基準信号は、時間領域において前記基準信号に一つまたは複数の単位遅延演算子（ｚ−１）を作用させるオペレーションによって生成される
前記複数の目標物ビームのそれぞれについて、間引きした複数のラグ積を形成すること、
前記基準信号について、間引きした複数のラグ積を形成することであって、
前記基準信号についての前記複数のラグ積は、前記基準信号に対して実行される介在的な演算を含まない前記基準信号と、互いに異なる遅延を有する複数の基準信号との積を含み、
前記互いに異なる遅延を有する前記複数の基準信号は、時間領域において前記基準信号に一つまたは複数の単位遅延演算子（ｚ−１）を作用させるオペレーションによって生成される
前記基準信号について、間引きした複数のラグ積を形成すること、
前記複数の目標物ビームのそれぞれについての前記間引きした複数のラグ積を用いて、前記複数の目標物ビームのそれぞれについてクロスアンビギュイティ関数を推定すること、および、
前記基準信号についての前記間引きした複数のラグ積を用いて、前記基準信号についてオートアンビギュイティ関数を推定すること
を含む広帯域事前検出信号を処理する方法。
【請求項８】
前記入力信号に対して変換オペレーションを実施すること、
前記入力信号のチャネル歪みを補償すること、および、
前記補償された入力信号を復調し、前記補償された入力信号の複素数値表現を形成することをさらに含む請求項７に記載の広帯域事前検出信号を処理する方法。
【請求項９】
ＰＣＬアプリケーションにおいて広帯域事前検出信号を処理する方法であって、
目標物信号および基準信号を含む入力信号を受信することであって、前記基準信号は統制されていない放射器からの直接経路上で受信され、前記目標物信号は目標物から反射される前記基準信号を含む、入力信号を受信すること、
前記入力信号から目標物信号および基準信号を抽出すること、
前記目標物信号および前記基準信号に対して変換オペレーションを実施すること、
前記変換された目標物信号および前記変換された基準信号のチャネル歪みを補償すること、
前記補償された目標物信号内の前記補償された基準信号の一部を減らすことであって、前記補償された基準信号は、前記補償された目標物信号に関して適応的にフィルタリングされ、前記補償された目標物信号と結合されて、出力目標物信号を形成するようにする、前記補償された基準信号の一部を減らすこと、
前記補償された基準信号および前記出力目標物信号を復調し、前記補償された基準信号および前記出力目標物信号の複素数値表現を形成すること、
前記補償された基準信号および前記出力目標物信号に対して逆変換を実施すること、
前記出力目標物信号について、特定の方位線および仰角線に沿って選択性を有する複数の目標物ビームを形成すること、
前記複数の目標物ビームについて、間引きした複数のラグ積を形成することであって、
前記複数の目標物ビームについての前記ラグ積は、前記目標物ビームに対して実行される介在的な演算を含まない前記目標物ビームと、互いに異なる遅延を有する複数の基準信号との積を含み、
前記互いに異なる遅延を有する前記複数の基準信号は、時間領域において前記基準信号に一つまたは複数の単位遅延演算子（ｚ−１）を作用させるオペレーションによって生成される
前記複数の目標物ビームについて、間引きした複数のラグ積を形成すること、
前記補償された基準信号について、間引きした複数のラグ積を形成することであって、
前記基準信号についての前記複数のラグ積は、前記基準信号に対して実行される介在的な演算を含まない前記基準信号と、互いに異なる遅延を有する複数の基準信号との積を含み、
前記互いに異なる遅延を有する前記複数の基準信号は、時間領域において前記基準信号に一つまたは複数の単位遅延演算子（ｚ−１）を作用させるオペレーションによって生成される
前記補償された基準信号について、間引きした複数のラグ積を形成すること、
前記複数の目標物ビームのそれぞれについての前記間引きした複数のラグ積を用いて、前記複数の目標物ビームのそれぞれについてクロスアンビギュイティ関数を推定すること、および、
前記基準信号についての前記間引きした複数のラグ積を用いて、前記基準信号について、オートアンビギュイティ関数を推定することを含む広帯域事前検出信号を処理する方法。
【請求項１０】
ＰＣＬアプリケーションにおいて、広帯域にわたって事前検出信号を処理するシステムであって、
目標物信号および基準信号を受信する第１サブ要素であって、前記基準信号は統制されていない放射器からの直接経路上で受信され、前記目標物信号は目標物から反射される前記基準信号を含む、第１サブ要素と、
前記目標物信号について、特定の方位線および仰角線に沿って選択性を有する複数の目標物ビームを形成する第２サブ要素と、
前記複数の目標物ビームのそれぞれについて、複数のラグ積を形成する第３サブ要素であって、
前記目標物ビームのそれぞれについての前記ラグ積は、前記目標物ビームに対して実行される介在的な演算を含まない前記目標物ビームと、互いに異なる遅延を有する複数の基準信号との積を含み、
前記互いに異なる遅延を有する前記複数の基準信号は、時間領域において前記基準信号に一つまたは複数の単位遅延演算子（ｚ−１）を作用させるオペレーションによって生成される
第３サブ要素と、
前記複数の目標物ビームのそれぞれについて、前記複数のラグ積のそれぞれを間引く第４サブ要素と、
前記基準信号について、複数のラグ積を形成する第５サブ要素であって、
前記基準信号についての前記複数のラグ積は、前記基準信号に対して実行される介在的な演算を含まない前記基準信号と、互いに異なる遅延を有する複数の基準信号との積を含み、
前記互いに異なる遅延を有する前記複数の基準信号は、時間領域において前記基準信号に一つまたは複数の単位遅延演算子（ｚ−１）を作用させるオペレーションによって生成される
第５サブ要素と、
前記基準信号について、前記複数のラグ積のそれぞれを間引く第６サブ要素と
を備える第１機能要素と、
前記複数の目標物ビームのそれぞれについての前記間引きした複数のラグ積を用いて、前記複数の目標物ビームのそれぞれについてクロスアンビギュイティ関数を推定する第２機能要素と
を含む広帯域にわたって事前検出信号を処理するシステム。
【請求項１１】
ＰＣＬアプリケーションにおいて、広帯域にわたって事前検出信号を処理するシステムであって、
目標物信号および基準信号を受信する第１サブ要素であって、前記基準信号は統制されていない放射器からの直接経路上で受信され、前記目標物信号は目標物から反射される前記基準信号を含む、第１サブ要素と、
前記目標物信号について、特定の方位線および仰角線に沿って選択性を有する複数の目標物ビームを形成する第２サブ要素と、
前記複数の目標物ビームのそれぞれについて、複数のラグ積を形成する第３サブ要素であって、
前記目標物ビームのそれぞれについての前記ラグ積は、前記目標物ビームに対して実行される介在的な演算を含まない前記目標物ビームと、互いに異なる遅延を有する複数の基準信号との積を含み、
前記互いに異なる遅延を有する前記複数の基準信号は、時間領域において前記基準信号に一つまたは複数の単位遅延演算子（ｚ−１）を作用させるオペレーションによって生成される
第３サブ要素と、
前記複数の目標物ビームのそれぞれについて、前記複数のラグ積のそれぞれを間引く第４サブ要素と、
前記基準信号について、複数のラグ積を形成する第５サブ要素であって、
前記基準信号についての前記複数のラグ積は、前記基準信号に対して実行される介在的な演算を含まない前記基準信号と、互いに異なる遅延を有する複数の基準信号との積を含み、
前記互いに異なる遅延を有する前記複数の基準信号は、時間領域において前記基準信号に一つまたは複数の単位遅延演算子（ｚ−１）を作用させるオペレーションによって生成される
第５サブ要素と、
前記基準信号について、前記複数のラグ積のそれぞれを間引く第６サブ要素と
を備える第１機能要素と、
前記基準信号についての前記間引きした前記複数のラグ積を用いて前記基準信号についてオートアンビギュイティ関数を推定する第２機能要素と
を含む広帯域にわたって事前検出信号を処理するシステム。
【請求項１２】
前記第６サブ要素は、ＦＩＲ（有限インパルス応答）フィルタ／デシメータを含む請求項１０または１１に記載の広帯域にわたって事前検出信号を処理するシステム。
【請求項１３】
前記基準信号の二乗平均平方根（ＲＭＳ）帯域幅を計算する第２機能要素をさらに含む請求項１０または１１に記載の広帯域にわたって事前検出信号を処理するシステム。
【請求項１４】
入力信号から前記基準信号および前記目標物信号を推定する第２機能要素をさらに含む請求項１０または１１に記載の広帯域にわたって事前検出信号を処理するシステム。
【請求項１５】
前記基準信号を推定することは、前記入力信号から前記基準信号の大きさを推定することを含む請求項１４に記載の広帯域にわたって事前検出信号を処理するシステム。
【請求項１６】
前記入力信号をフィルタリングして、チャネル歪みを補償するようにする第３機能要素をさらに含む請求項１０または１１に記載の広帯域にわたって事前検出信号を処理するシステム。
【請求項１７】
ＰＣＬアプリケーションにおいて、広帯域にわたって事前検出信号を処理するシステムであって、
目標物信号および基準信号を含む入力信号を受信する第１機能要素であって、前記基準信号は統制されていない放射器からの直接経路上で受信され、前記目標物信号は目標物から反射される前記基準信号を含む、第１機能要素と、
前記目標物信号および前記基準信号に対して変換オペレーションを実施する第２機能要素と、
前記変換された目標物信号および前記変換された基準信号のチャネル歪みを補償する第３機能要素と、
前記補償された目標物信号内の前記補償された基準信号の一部を減らす第４機能要素であって、前記補償された基準信号は、前記補償された目標物信号に関して適応的にフィルタリングされ、前記補償された目標物信号と結合されて、出力目標物信号を形成するようにする第４機能要素と、
前記補償された基準信号および前記出力目標物信号を復調し、前記補償された基準信号および前記出力目標物信号の複素数値表現を形成する第５機能要素と、
前記出力目標物信号について、特定の方位線および仰角線に沿って選択性を有する複数の目標物ビームを形成する第６機能要素と、
前記複数の目標物ビームのそれぞれについて、間引きした複数のラグ積を、前記基準信号について、間引きした複数のラグ積を形成する第７機能要素であって、
前記目標物ビームのそれぞれについての前記ラグ積は、前記目標物ビームに対して実行される介在的な演算を含まない前記目標物ビームと、互いに異なる遅延を有する複数の基準信号との積を含み、
前記互いに異なる遅延を有する前記複数の基準信号は、時間領域において前記基準信号に一つまたは複数の単位遅延演算子（ｚ−１）を作用させるオペレーションによって生成され、
前記基準信号についての前記複数のラグ積は、前記基準信号に対して実行される介在的な演算を含まない前記基準信号と、互いに異なる遅延を有する複数の基準信号との積を含み、
前記互いに異なる遅延を有する前記複数の基準信号は、時間領域において前記基準信号に一つまたは複数の単位遅延演算子（ｚ−１）を作用させるオペレーションによって生成される
第７機能要素と、
前記複数の目標物ビームのそれぞれについての前記間引きした複数のラグ積を用いて、前記複数の目標物ビームのそれぞれについてクロスアンビギュイティ関数を推定し、前記基準信号についての前記間引きした複数のラグ積を用いて、前記基準信号についてオートアンビギュイティ関数を推定する第８機能要素と
を備える、広帯域にわたって事前検出信号を処理するシステム。
【請求項１８】
前記第４機能要素は、
前記補償された基準信号および前記補償された目標物信号を受信する第１サブ要素と、
フィルタを用いて、前記補償された目標物信号に関して前記補償された基準信号をフィルタリングして、出力基準信号を形成するようにする第２サブ要素と、
前記出力基準信号を前記補償された第１目標物信号に結合して、出力目標物信号を形成するようにする第３サブ要素と、
前記補償された目標物信号の変化に関して前記第２サブ要素を更新する第４サブ要素とを備える請求項１７に記載の広帯域にわたって事前検出信号を処理するシステム。
【請求項１９】
前記第７機能要素は、
前記複数の目標物ビームおよび前記基準信号を受信する第１サブ要素と、
前記複数の目標物ビームのそれぞれについて、複数のラグ積を形成する第２サブ要素と、
前記複数の目標物ビームのそれぞれについて、前記複数のラグ積のそれぞれを間引く第３サブ要素と、
前記基準信号について、複数のラグ積を形成する第４サブ要素と、
前記基準信号について、前記複数のラグ積のそれぞれを間引く第５サブ要素とを備える請求項１７に記載の広帯域にわたって事前検出信号を処理するシステム。
【請求項２０】
前記入力信号から前記目標物信号および前記基準信号を抽出する第８機能要素をさらに含む請求項１７に記載の広帯域にわたって事前検出信号を処理するシステム。
【請求項２１】
ＰＣＬアプリケーションにおいて、広帯域にわたって事前検出信号を処理するシステムであって、
目標物信号および基準信号を含む入力信号を受信する第１機能要素であって、前記基準信号は統制されていない放射器からの直接経路上で受信され、前記目標物信号は目標物から反射される前記基準信号を含む、第１機能要素と、
前記入力信号に対して変換オペレーションを実施する第２機能要素と、
前記変換された入力信号のチャネル歪みを補償する第３機能要素と、
前記補償された入力信号を復調し、前記補償された入力信号の複素数値表現を形成する第４機能要素と、
前記第４機能要素から受信された前記入力信号から目標物信号および基準信号を推定する第５機能要素と、
前記目標物信号内の前記基準信号の一部を減らす第６機能要素であって、前記基準信号は、前記目標物信号に関して適応的にフィルタリングされ、前記目標物信号と結合されて、出力目標物信号を形成するようにする第６機能要素と、
前記出力目標物信号について、特定の方位線および仰角線に沿って選択性を有する複数の目標物ビームを形成する第７機能要素と、
前記複数の目標物ビームのそれぞれについて、間引きした複数のラグ積を、前記基準信号について、間引きした複数のラグ積を形成する第８機能要素であって、
前記目標物ビームのそれぞれについての前記ラグ積は、前記目標物ビームに対して実行される介在的な演算を含まない前記目標物ビームと、互いに異なる遅延を有する複数の基準信号との積を含み、
前記互いに異なる遅延を有する前記複数の基準信号は、時間領域において前記基準信号に一つまたは複数の単位遅延演算子（ｚ−１）を作用させるオペレーションによって生成され、
前記基準信号についての前記複数のラグ積は、前記基準信号に対して実行される介在的な演算を含まない前記基準信号と、互いに異なる遅延を有する複数の基準信号との積を含み、
前記互いに異なる遅延を有する前記複数の基準信号は、時間領域において前記基準信号に一つまたは複数の単位遅延演算子（ｚ−１）を作用させるオペレーションによって生成される
第８機能要素と、
前記複数の目標物ビームのそれぞれについての前記間引きした複数のラグ積を用いて、前記複数の目標物ビームのそれぞれについてクロスアンビギュイティ関数を推定し、前記基準信号についての前記間引きした複数のラグ積を用いて、前記基準信号について、オートアンビギュイティ関数を推定する第９機能要素と
を備える、広帯域にわたって事前検出信号を処理するシステム。
【請求項２２】
前記第６機能要素は、
前記基準信号および前記目標物信号を受信する第１サブ要素と、
フィルタを用いて、前記目標物信号に関して前記基準信号をフィルタリングして、出力基準信号を形成するようにする第２サブ要素と、
前記出力基準信号を前記第１目標信号に結合して、出力目標物信号を形成するようにする第３サブ要素と、
前記目標物信号の変化に関して前記第２サブ要素を更新する第４サブ要素とを備える請求項２１に記載の広帯域にわたって事前検出信号を処理するシステム。
【請求項２３】
前記第８機能要素は、
前記複数の目標物ビームおよび前記基準信号を受信する第１サブ要素と、
前記複数の目標物ビームのそれぞれについて、複数のラグ積を形成する第２サブ要素と、
前記複数の目標物ビームのそれぞれについて、前記複数のラグ積のそれぞれを間引きする第３サブ要素と、
前記基準信号について、複数のラグ積を形成する第４サブ要素と、
前記基準信号について、前記複数のラグ積のそれぞれを間引きする第５サブ要素とを備える請求項２１に記載の広帯域にわたって事前検出信号を処理するシステム。
【発明の詳細な説明】
【技術分野】
【０００１】
［発明の背景］
発明の分野
本発明は、ＰＣＬ（パッシブコヒーレント探索）アプリケーションに関し、より詳細には、ＰＣＬアプリケーション用の広帯域事前検出信号を処理するシステムおよび方法に関する。
【背景技術】
【０００２】
関連出願の相互参照
本出願は、２００１年５月４日に出願された「System and Method for Wideband Pre-Detection Signal Processing for PCL Applications」と題する米国仮特許出願第６０／２８８，４５１号（参照により本明細書に援用される）の利益を主張する。
【０００３】
関連技術の説明
レーダシステムは、対象の目標物の存在を検出し、その目標物についての情報を提供する。従来のレーダシステムはパルスレーダおよび連続波レーダを含む。パルスレーダにおいては、目標物の距離測度は、電磁エネルギーパルスの送信からその反射エネルギーの受信までに経過した時間測定値によって求められる。連続波レーダにおいては連続波が送信される。目標物の距離は、送信した信号と受信し反射した信号の間の周波数シフトの測定値によって求められる。
【０００４】
従来のレーダシステムは電磁エネルギーを送信する。送信した電磁エネルギーの一部は、対象の目標物から反射し、空間に散乱する。レーダシステムは、反射したエネルギーを受信し、受信した反射エネルギーを、送信したエネルギーの複製と相関させることによって、対象の目標物についての情報を抽出する。
【０００５】
従来のレーダシステムと対比して、パッシブレーダシステムは、商用の放送ラジオＦＭ信号およびテレビジョン放送信号などの、統制されていない放射器から送信された電磁エネルギーを利用する。パッシブレーダシステムは、統制されていない放射器から送信され、対象の目標物から反射した信号である反射した信号、および統制されていない放射器からの直接経路信号を受信する。パッシブレーダシステムは、受信した反射信号を、基準信号として用いられる受信した直接経路信号と相関させることによって、対象の目標物についての情報を抽出する。
【０００６】
ＰＣＬ（パッシブコヒーレント探索）システムは、マルチスタティック広域移動中の目標物監視センサを含む、パッシブ監視システムである。ＰＣＬ技術は、エネルギーを送信せずに、検出能力を提供する。ＰＣＬシステムにおいて、追尾精度および分解能は重要である。
【発明の概要】
【発明が解決しようとする課題】
【０００７】
［発明の概要］
したがって、本発明は、ＰＣＬアプリケーションおよびＰＣＬアプリケーションのための信号処理方法を対象とする。
【０００８】
本発明のさらなる特徴および利点は、次に続く説明で述べられ、一部は、その説明から明らかになるであろう。または、さらなる特徴および利点は本発明の実施によって知ることができる。本発明の目的および利点は、本明細書および本明細書の特許請求の範囲ならびに添付図面において特に指摘される構造によって実現され、得られるであろう。
【課題を解決するための手段】
【０００９】
これらの利点および他の利点を達成するために、また、組み込まれ概括的に述べた本発明の目的に従って、ＰＣＬアプリケーションにおいて広帯域事前検出信号を処理する方法は、第１基準信号および第１目標物信号を受信すること、フィルタを用いて、上記第１目標物信号に関して上記第１基準信号をフィルタリングすることであって、それによって、第１出力基準信号を形成する、第１基準信号をフィルタリングすること、上記第１出力基準信号を上記第１目標物信号に結合することであって、それによって、第１出力目標物信号を形成する、第１目標物信号を第１目標物信号に結合すること、第２基準信号および第２目標物信号を受信すること、上記第１目標物信号と上記第２目標物信号の間の変化に関して上記フィルタを更新すること、上記更新されたフィルタを用いて上記第２基準信号をフィルタリングすることであって、それによって、第２出力基準信号を形成する、第２基準信号をフィルタリングすること、および、上記第２出力基準信号を上記第２目標物信号に結合することであって、それによって、第２出力目標物信号を形成する、第２基準信号を第２目標物信号に結合することを含む。
【００１０】
本発明の別の態様において、ＰＣＬアプリケーションにおいて広帯域事前検出信号を処理する方法は、目標物信号および基準信号を受信すること、この目標物信号から複数の目標物ビームを形成すること、この複数の目標物ビームのそれぞれについて、複数のラグ積(lag product)を形成すること、上記複数の目標物ビームのそれぞれについて、上記複数のラグ積のそれぞれを間引くこと、上記基準信号について、複数のラグ積を形成すること、および、上記基準信号について、上記複数のラグ積のそれぞれを間引くことを含む。
【００１１】
本発明の別の態様において、パッシブコヒーレント探索（ＰＣＬ）アプリケーションのための、広帯域事前検出信号を処理する方法は、入力信号を受信すること、この入力信号から基準信号および目標物信号を推定すること、この目標物信号内の該基準信号の一部を減らすことであって、上記基準信号は上記目標物信号に関して適応的にフィルタリングされ、上記目標物信号と結合して、出力目標物信号を形成する、上記基準信号の一部を減らすこと、上記出力目標物信号について複数の目標物ビームを形成すること、この複数の目標物ビームのそれぞれについて、間引きした複数のラグ積を形成すること、および、上記基準信号について、間引きした複数のラグ積を形成することを含む。
【００１２】
本発明の別の態様において、ＰＣＬアプリケーションにおいて広帯域事前検出信号を処理する方法は、入力信号を受信すること、この入力信号から目標物信号および基準信号を抽出すること、上記目標物信号および上記基準信号に対して変換オペレーションを実施すること、上記変換された目標物信号および上記変換された基準信号のチャネル歪みを補償すること、上記補償された目標物信号内の上記補償された基準信号の一部を減らすことであって、上記補償された基準信号は、上記補償された目標物信号に関して適応的にフィルタリングされ、上記補償された目標物信号と結合されて、出力目標物信号を形成するようにする、上記補償された基準信号の一部を減らすこと、上記補償された基準信号および上記出力目標物信号を復調し、上記補償された基準信号および上記出力目標物信号の複素数値表現を形成すること、上記補償された基準信号および上記出力目標物信号に対して逆変換を実施すること、上記出力目標物信号について、複数の目標物ビームを形成すること、上記複数の目標物ビームのそれぞれについて、間引きした複数のラグ積を形成すること、上記補償された基準信号について、間引きした複数のラグ積を形成すること、上記複数の目標物ビームのそれぞれについての上記間引きした複数のラグ積を用いて、上記複数の目標物ビームのそれぞれについてクロスアンビギュイティ関数を推定すること、および、上記基準信号についての上記間引きした複数のラグ積を用いて、上記基準信号についてオートアンビギュイティ関数を推定することを含む。
【００１３】
本発明の別の態様において、ＰＣＬアプリケーションにおいて、広帯域にわたって事前検出信号を処理するシステムは、第１基準信号および第１目標物信号ならびに第２基準信号および第２目標物信号を直列に(in series)受信する第１サブ要素と、フィルタを用いて、上記第１目標物信号に関して上記第１基準信号をフィルタリングして、第１出力基準信号を形成するようにする第２サブ要素と、上記第１出力基準信号を上記第１目標信号に結合して、第１出力目標物信号を形成するようにする第３サブ要素と、上記第１目標物信号と上記第２目標物信号の間の変化に関して上記第２サブ要素を更新する第４サブ要素とを備える第１機能要素を含む。
【００１４】
本発明の別の態様において、ＰＣＬアプリケーションにおいて、広帯域にわたって事前検出信号を処理するシステムは、目標物信号および基準信号を受信する第１サブ要素と、上記目標物信号について、複数の目標物ビームを形成する第２サブ要素と、この複数の目標物ビームのそれぞれについて、複数のラグ積を形成する第３サブ要素と、上記複数の目標物ビームのそれぞれについて、前記複数のラグ積のそれぞれを間引く第４サブ要素と、上記基準信号について、複数のラグ積を形成する第５サブ要素と、上記基準信号について、上記複数のラグ積のそれぞれを間引く第６サブ要素とを備える第１機能要素を含む。
【００１５】
本発明の別の態様において、ＰＣＬアプリケーションにおいて、広帯域にわたって事前検出信号を処理するシステムは、目標物信号および基準信号を含む入力信号を受信する第１機能要素と、上記目標物信号および上記基準信号に対して変換オペレーションを実施する第２機能要素と、上記変換された目標物信号および上記変換された基準信号のチャネル歪みを補償する第３機能要素と、上記補償された目標物信号内の上記補償された基準信号の一部を減らす第４機能要素であって、上記補償された基準信号は、上記補償された目標物信号に関して適応的にフィルタリングされ、上記補償された目標物信号と結合されて、出力目標物信号を形成するようにする第４機能要素と、上記補償された基準信号および上記出力目標物信号を復調し、上記補償された基準信号および上記出力目標物信号の複素数値表現を形成する第５機能要素と、上記出力目標物信号について、複数の目標物ビームを形成する第６機能要素と、上記複数の目標物ビームのそれぞれについて、間引きした複数のラグ積を、上記基準信号について、間引きした複数のラグ積を形成する第７機能要素とを備える。
【００１６】
本発明の別の態様において、ＰＣＬアプリケーションにおいて、広帯域にわたって事前検出信号を処理するシステムは、入力信号を受信する第１機能要素と、この入力信号に対して変換オペレーションを実施する第２機能要素と、上記変換された入力信号のチャネル歪みを補償する第３機能要素と、上記補償された入力信号を復調し、上記補償された入力信号の複素数値表現を形成する第４機能要素と、上記第４機能要素から受け取られた上記入力信号から目標物信号および基準信号を推定する第５機能要素と、上記目標物信号内の上記基準信号の一部を減らす第６機能要素であって、上記基準信号は、上記目標物信号に関して適応的にフィルタリングされ、上記目標物信号と結合されて、出力目標物信号を形成するようにする第６機能要素と、上記出力目標物信号について、複数の目標物ビームを形成する第７機能要素と、この複数の目標物ビームについて、間引きした複数のラグ積を、上記基準信号について、間引きした複数のラグ積を形成する第８機能要素とを備える。
【００１７】
先の概括的な説明および以下の詳細の説明は共に、例示のためであり、かつ説明のためであって、請求される本発明をさらに説明することを意図することを理解されたい。
【００１８】
本発明をさらに理解させることを意図し、本明細書の一部に組み込まれ、また一部を構成する添付図面は、本発明の実施形態を示し、その記載とともに、本発明の原理を説明するのに役立つ。
【図面の簡単な説明】
【００１９】
【図１】本発明による、複数の送信機、目標物、およびＰＣＬシステムのブロック図である。
【図２】本発明の一実施形態による、パッシブコヒーレント探索システムのブロック図である。
【図３】本発明の一実施形態による、パッシブコヒーレント探索システムの事前信号処理のフローチャートである。
【図４】本発明の一実施形態による、ゼロ−ドプラ消去プロセスの略図である。
【図５】本発明の一実施形態による、直交復調プロセスの略図である。
【図６】本発明の一実施形態による、目標物ビームラグ積の形成および間引きプロセスの略図である。
【図７】本発明の一実施形態による、基準ラグ積の形成および間引きプロセスの略図である。
【図８】本発明の一実施形態による、アンビギュイティ関数形成プロセスの略図である。
【図９】本発明の別の実施形態による、パッシブコヒーレント探索システムの事前信号処理のフローチャートである。
【発明を実施するための形態】
【００２０】
［好ましい実施形態の詳細な説明］
ここで、本発明の好ましい実施形態に対し詳細にわたって言及がなされ、実施形態の実施例は添付図面に示される。
【００２１】
図１は、本発明の一実施形態によるＰＣＬアプリケーションのブロック図を示す。ＰＣＬアプリケーションは、送信機１１０、１１２、および１１４として図１に示す、複数の統制されていない放射器、対象の目標物１５０、およびＰＣＬシステム１００を含む。複数の送信機１１０、１１２、および１１４は、商用のＦＭ放送送信機および／または中継器、ならびに商用のＨＤＴＶ  ＴＶ放送送信機および／または中継器などの統制されていない広帯域放射器を含んでよい。対象の目標物１５０の例は航空機を含む。
【００２２】
送信機１１０、１１２、および１１４は、電磁エネルギー信号を全方向に送信する。送信した信号の一部は、対象の目標物１５０によって反射され、全方向に散乱する。ＰＣＬシステム１００は、目標物経路信号１３０と呼ぶ、散乱した信号の一部を受信する。別々に、ＰＣＬシステム１００は、送信機１１０、１１２、および１１４からの直通の、信号の一部を受信する。これらの信号は、基準経路信号（または、直接経路信号）１４０と呼ばれる。
【００２３】
図２は、本発明によるＰＣＬ１００の一実施形態を示す。特に図２について考えると、ＰＣＬ１００は、アンテナ２００、受信サブシステム２０２、Ａ／Ｄ変換器サブシステム２０４、処理サブシステム２０６、およびディスプレイ２０８を含む。
【００２４】
アンテナ２００は、送信機１１０、１１２、および１１４を含む統制されていない放射器から基準経路信号１４０を受信する。アンテナ２００は、対象の目標物１５０から反射した目標物経路信号１３０も受信する。アンテナ２００は、基準経路信号１４０および目標物経路信号１３０を受信サブシステム２０２に伝達する。
【００２５】
受信サブシステム２０２は、アンテナ２００から基準経路デジタル信号１４０および目標物経路信号１３０を受信し、それに応じて信号を処理する。
【００２６】
Ａ／Ｄ変換器サブシステム２０４は、受信サブシステム２０２の出力を受け取り、所望のサンプリングレートで信号をサンプリングすることによってＡ／Ｄ変換器サブシステム２０４の入力における信号のデジタルサンプルを出力し、各サンプリング時刻でのアナログ信号の大きさを用いて、デジタル波形を形成する。Ａ／Ｄ変換器サブシステム２０４は受け取った信号を増幅する増幅器を含んでよい。
【００２７】
処理サブシステム２０６は、Ａ／Ｄ変換器サブシステム２０４からの受け取った信号のデジタルサンプルを受け取る。処理サブシステム２０６は、受け取った基準信号および目標物信号を処理して、対象の目標物１５０についての情報を抽出するようにする。この情報は、場所、速度、および加速度を含む、対象の目標物１５０の位置に関するあらゆる情報を含んでよい。
【００２８】
処理サブシステム２０６はサブプロセッサを含んでよい。サブプロセッサは、エラーを除去して最適化された信号を供給する事前検出信号プロセッサ２４０、および対象の目標物１５０についての情報を抽出する信号プロセッサ２４２を含んでよい。事前検出信号プロセッサ２４０は、図２に示すように、データインタリーブ解除器(de-interleaver)機能要素２１０、変換機能要素２１２、等化機能要素２１４、ＺＤＣ（ゼロ−ドプラ消去）機能要素２１６、直交復調機能要素２１８、基準ビーム再生機能要素２２０、逆変換機能要素２２２、ヌル形成機能要素２２４、ビーム形成機能要素２２６、ラグ積の形成および間引き(decimation：デシメーション)機能要素２２８、アンビギュイティ(ambiguity)関数形成機能要素２３０、およびＲＭＳ計算機能要素２３２を含んでよい。処理サブシステム２０６は、各種要素の関数を実行するようにプログラムされる、データストレージ能力を有する高性能コンピュータを含んでよい。別法として、ハードウェア要素は、事前検出処理サブシステムの要素のうちのいくつか、または全てとして用いることができる。
【００２９】
出力デバイス２０８は、処理サブシステム２０６から受け取った情報を受け取り、表示する。サブシステム２０２、２０４、２０６、および２０８は、高速ネットワークにより互いに接続されることができる。
【００３０】
図３は、本発明の一実施形態による、事前検出信号プロセッサ２４０での信号処理ステップを示す。
【００３１】
ステップ３００で始まって、事前検出信号プロセッサは、Ａ／Ｄ変換器サブシステムから、アンテナ２００で受信した目標物経路信号１３０および基準経路信号１４０のデジタルサンプルを、多重化されたＡＤＣ時系列データのブロックとして受け取る。多重化されたＡＤＣ時系列データのブロックは、データインタリーブ解除器機能要素によって受け取られる。データインタリーブ解除器機能要素は、後続のフィルタリングオペレーションが要求すると、当業者がよく知っている方法で、時系列データの入力ブロックから基準信号データおよび目標物信号データを抽出し、並列処理のために、適当なＡＤＣスケールファクタ(scale factor)を適用する。基準信号データは基準チャネル３７０を通して送られ、目標物信号データは目標物チャネル３７２を通して送られる。
【００３２】
ステップ３０４にて、データ変換機能要素は、基準チャネル３７０および目標物チャネル３７２を通して基準信号データおよび目標物信号データをそれぞれ受け取る。データ変換機能要素は、後続のフィルタリングオペレーションが要求すると、好ましくは、ＦＦＴ（高速フーリエ変換）オペレーションを用いることによってＤＦＴ（離散フーリエ変換）を実施する。ＦＦＴは、当業者がよく知っている方法で、入力データを時間関数から周波数関数へ変換する。オーバラップセーブＦＦＴオペレーションは、当業者がよく知っている方法で、全ての範囲に及ぶように実施されることができるのが好ましい。オーバラップセーブＦＦＴオペレーションは、対象のそれぞれの時系列データについて独立的に繰り返され、それによって、目標物信号データのそれぞれおよび基準信号データのそれぞれについて、固有の「セーブ（save）」ブロックおよびＤＦＴ（離散フーリエ変換）出力を供給する。好ましくは、ＤＦＴ長、Ｎは、小さな整数（たとえば、２、３、４または５）の積に因数分解できるように選択することができ、それによって、効率のよいＦＦＴ技法を用いて、２Ｎ長のＤＦＴを実施することができる。
【００３３】
ステップ３０８にて、等化機能要素は、基準チャネルおよび目標物チャネルを通してデータ変換機能要素の出力を受け取る。等化機能要素は、基準信号データおよび目標物信号データのそれぞれにフィルタを適用する。フィルタは、対象の搬送波周波数のあたりを中心とする、ほぼ５０ｋＨｚ帯域にわたって振幅リップルを最小にし、目標物信号データと基準信号データの間の周波数に関する位相シフトの割合(rate)の差である、目標物信号と基準差(target signal-to-reference differential)の群遅延(group delay)を最小にし、目標物信号間の信号対雑音比と位相差との比の差である差分利得を最小にする。フィルタは、オフライン較正手順によって得ることができる。等化機能要素はシンボル間干渉（ＩＳＩ）を補償する。シンボル間干渉（ＩＳＩ）は、信号を構成する周波数の分散によるチャネル内の連続した送信信号の重なりである。等化機能要素は、チャネル歪みを補償することによって、エラーの確率を最小にする。等化手順は、時系列データのそれぞれについて独立的に繰り返される。
【００３４】
ステップ３１２にて、ゼロ−ドプラ消去機能要素２１６は、受け取った目標物信号データに対して、適応ゼロ−ドプラ消去、時間領域信号処理オペレーションを実施して、目標物信号データ内に存在する基準信号データの部分を最小にするようにする。
【００３５】
図４は、本発明の実施形態による、事前検出信号プロセッサ２４０での適応ゼロ−ドプラ消去を示す。
【００３６】
図４において、ゼロドプラ消去機能要素２１６は、それぞれ、基準チャネル３７０Ｂおよび目標物チャネル３７２Ｂを通して、時系列目標物信号データおよび時系列基準信号データを受け取る。受け取った第１基準信号データは、フィルタ４１０で受け取った第１目標物信号データに関してフィルタリングされる。受け取った、フィルタリングされた第１基準信号データは、４２０で受け取った第１目標物信号データと結合されて、受け取った第１目標物信号データ内に存在する受け取った第１基準信号データの部分を最小にするようにする。次に、フィルタ更新機能要素４１２は、フィルタ４１０を、受け取った第２目標物信号データと比較することによって、受け取った第２目標物信号データに関してフィルタ４１０を更新する。基準チャネル３７０Ｂを通して受け取った第２基準信号データは、受け取った第２目標物信号データに関して更新されたフィルタ４１０を用いてフィルタリングされる。次に、受け取った、フィルタリングされた第２基準信号データは、４２０で受け取った第２目標物信号データと結合される。フィルタ４１０は、時系列の目標物信号データのそれぞれとフィルタを連続して比較することによって、目標物チャネル３７２Ｂを通して受け取った時系列の目標物信号データのそれぞれに関して、フィルタ更新機能要素４１２によって連続して更新される。基準信号データは適応的にフィルタリングされる。フィルタリングされた時系列の基準信号データのそれぞれは、４２０で、時系列の目標物信号データのそれぞれと結合される。フィルタ４１０は、たとえば、適応ウィーナフィルタを含んでよい。適応ゼロ−ドプラ消去を適用することによって、移動中の目標物についてのより正確な目標物信号データを生成することができる。
【００３７】
個別に、ステップ３１０にて、ＲＭＳ（二乗平均平方根）帯域幅計算機能要素は、基準チャネル３７０Ｃを通して基準信号データを受け取り、基準信号データの帯域幅のＲＭＳ値を推定する。この値は、検出および特徴抽出処理において行われる遅延測定値の分散の計算において必要とされる。
【００３８】
ステップ３１６にて、直交復調機能要素は、３１１の遅延要素を通した等化機能要素からの基準信号データおよびゼロ−ドプラ消去機能要素の出力を受け取る。直交復調機能要素は、本発明の一実施形態による、図５に概略的に示す時間領域信号処理オペレーションを実施する。
【００３９】
図５にて、実数値信号データの位相は、ｅｘｐ（−ｊ（π／２）ｍ）を掛けることによってシフトする。次に、位相シフトした実数値信号データは、ＦＩＲ  ＬＰＦ（有限インパルス応答ローパスフィルタ）などのローパスフィルタ５１２を用いてフィルタリングされ、複素数値信号データを生成するように間引きされる。実数値入力時系列データを復調し、間引して、ゼロラジアン／サンプルを中心とする、サンプリングレートを落とした時系列の複素（直交）表現を生成するようにする。複素包絡線（直交表現における同相成分と直交成分を有するローパス関数である）を見つけることによって、乗算係数ｅｘｐ（−ｊ（π／２）ｍ）の存在によって複雑になるローパス系の解析は、フィルタリング処理の本質を完全に保つ、等価であるがいっそう単純なローパス解析と置換される。直交復調機能要素は、受け取った目標物信号データおよび受け取った基準信号データに対して、図５の信号処理オペレーションを個別に実施する。
【００４０】
ステップ３２０にて、逆変換機能要素は、直交復調機能要素によって生成された目標物信号データおよび基準信号データを受け入れ、当業者がよく知っている方法で逆変換を実施する。対象の信号について、複素数値時系列のＢ／２＝Ｎ−（ＭEFF−１）／２の長さのブロックを生成することができるのが好ましい。
【００４１】
ステップ３２４にて、ヌル形成が行なわれる。
【００４２】
ステップ３２８にて、ビーム形成機能要素は、先行の機能要素によって生成される目標物信号データを受け入れ、それらを結合して、特定の方位線および仰角線に沿って選択性を有する目標物ビームを形成するようにする。
【００４３】
ステップ３３２にて、ラグ積の形成および間引き機能要素は、先行の機能要素によって生成された目標物ビームおよび基準信号を受け取り、図６および７に概略的に示す信号処理関数を実施する。このオペレーションはもっぱら時間領域で実施される。
【００４４】
図６にて、ラグ積の形成は、基準信号データを有する目標物ビームのそれぞれに対して実施されて、目標物ビームのそれぞれについて、複数のラグ積が形成される。目標物ビームのそれぞれについての複数のラグ積は間引きされて、目標物ビームのそれぞれについて、間引きした複数のラグ積が形成される。
【００４５】
図７において、ラグ積の形成は基準信号に対して実施される。複数のラグ積が基準信号について形成される。基準信号についての複数のラグ積は間引きされて、基準信号について、間引きした複数のラグ積が形成される。
【００４６】
間引きレートは、１６または３２の値を有してよい。間引きオペレーションは、効率の高いマルチステージ有限インパルス応答（ＦＩＲ）フィルタ／デシメータを用いて実施され得る。目標物信号のそれぞれは個別に処理されて、Ｋ間引きラグ積時系列を生成し、目標物信号についてクロスアンビギュイティ表面が推定される。目標物ビームのそれぞれについて複数のラグ積を生成することによって目標物ビームのそれぞれについてのクロスアンビギュイティ表面がより正確に推定されることができる。一実施形態において、間引きオペレーションは、６２，５００複素サンプル／秒から３９０６．２５または１９５３．１２５（それぞれ）複素サンプル／秒へ時間ラグのサンプリングレートを減らすが、±１５６２．５Ｈｚまたは７８１．２５Ｈｚ（それぞれ）での情報（すなわち、最終出力帯域幅の８０％）を保持する。単一命令乗算／累積オペレーションを実施しないプロセッサの場合、３１０で計算したＲＭＳ帯域幅の畳み込み和は、ＦＩＲフィルタタップの対称性を利用して、計算複雑度を軽減するように、図３の点線で示されるように実施されることができる。また、間引きレートによる畳み込み和のスケーリングは、ＦＩＲフィルタタップ内に取り込まれることができる。
【００４７】
図３のステップ３３６にて、アンビギュイティ関数形成機能要素は、間引きした複数のラグ積を受け入れ、目標物信号のそれぞれについて、Ｔサンプルのコヒーレント処理区間（ＣＰＩ）にわたってクロスアンビギュイティを計算する。アンビギュイティ関数形成機能要素はまた、図８に示すように、基準信号について、間引きした複数のラグ積を受け入れ、Ｔサンプルのコヒーレント処理区間にわたってオートアンビギュイティを計算する。クロスアンビギュイティ関数は、２つの信号またはシステム間の共用性を抽出して、これらの共用性の存在または構造を確定する。コヒーレント処理区間は、ある率、１−１／ρ（ρ＝２、４、など）だけ重なる可能性がある。
【００４８】
図９は、本発明の別の実施形態による、事前検出信号プロセッサ２４０での信号処理ステップを示す。事前検出プロセッサは、基準チャネルがない場合、米国特許第５，６０４，５０３号（参照により本明細書に援用される）に開示される、一定モジュラス基準再生という別の手法を用いることができる。
【００４９】
ステップ９００で始まり、事前検出信号プロセッサは、多重化されたＡＤＣ時系列データのブロックとして、Ａ／Ｄ変換器サブシステムから、アンテナ２００で受信された目標物経路信号１３０および基準経路信号１４０のデジタルサンプルを受け取る。多重化されたＡＤＣ時系列データのブロックは、データインタリーブ解除器機能要素によって受け取られる。この実施形態において、データインタリーブ解除器機能要素は、時系列データの入力信号データブロックから、基準信号データおよび目標物信号データを抽出しない。目標物信号データおよび基準信号データを含む入力信号データはチャネル９５０を通過する。
【００５０】
ステップ９０４にて、データ変換機能要素は、チャネル９５０を通して、目標物信号データおよび基準信号データを含む入力信号データを受け取る。データ変換機能要素は、後続のフィルタリングオペレーションが要求すると、好ましくはＦＦＴ（高速フーリエ変換）オペレーションを用いることによって、ＤＦＴ（離散フーリエ変換）を実施する。ＦＦＴは、当業者がよく知っている方法で、入力データを、時間関数から周波数関数に変換する。オーバラップセーブＦＦＴオペレーションは、全ての範囲に及ぶように実施されることができるのが好ましい。オーバラップセーブＦＦＴオペレーションは、対象のそれぞれの時系列データについて独立的に繰り返され、したがって、入力信号データのそれぞれについて、固有の「セーブ」ブロックおよびＤＦＴ（離散フーリエ変換）出力を供給する。好ましくは、ＤＦＴ長、Ｎは、小さな整数（たとえば、２、３、４または５）の積に因数分解できるように選択することができ、それによって、効率のよいＦＦＴ技法を用いて、２Ｎ長のＤＦＴを実施することができる。
【００５１】
ステップ９０８にて、等化機能要素は、データ変換機能要素の出力を受け取り、固有のフィルタを適用する。
【００５２】
ステップ９１２にて、直交復調機能要素は、等化機能要素の出力を受け取り、図５に概略的に示す時間領域信号処理オペレーションを実施して、ゼロラジアン／サンプルを中心とする時系列の複素表現を生成する。
【００５３】
ステップ９１６にて、基準ビーム再生機能要素は、直交復調機能要素の出力を受け取り、米国特許第５，６０４，５０３号（参照により本明細書に援用される）に開示されるように、基準信号（すなわち、Ｄ−Ｐ信号）および目標物信号（すなわち、Ｔ−Ｐ信号）を推定する。
【００５４】
ステップ９２０にて、ゼロ−ドプラ消去機能要素は、目標物チャネル９７２および基準チャネル９７０Ｂを通して、９１６で基準ビーム再生機能要素によって推定された目標物信号および基準信号をそれぞれ受け取り、図４に概略的に示しかつ上述した、時間領域信号処理オペレーションを実施する。
【００５５】
その後、信号処理は、上述したように、ヌル形成、ビーム形成、ラグ積の形成および間引き、ならびにアンビギュイティ関数形成を通して続く。
【００５６】
ビーム形成の前に実施されるフィルタリングオペレーション（すなわち、等化、ゼロ−ドプラ消去、直交復調、および逆変換）は、オーバラップセーブ高速畳み込みオペレーションを用いて実施され、それによって、入力時系列データの隣接ブロックは、推定オートアンビギュイティおよびクロスアンビギュイティ関数を形成する直前に出力時系列データの隣接ブロックを生成する。オーバラップセーブフィルタリングオペレーションは、目標物信号を等化し、各目標物信号内の基準信号の量を最小にするであろう。さらに、オーバラップセーブフィルタリングオペレーションは、ゼロラジアン／サンプルを中心とする目標物要素信号データの複素表現を生成する。
【００５７】
構成されると、本発明の事前検出信号処理は、目標物信号からの干渉信号エネルギーを消去するであろう。さらに、適切な構成によって、目標物信号は、指定された方位角に沿う指向性ビームに変換されるであろう。
【００５８】
本発明の精神または範囲から逸脱することなく、本発明のＰＣＬシステムにおいて種々の変更および変形を行うことができることは、当業者には明らかであろう。したがって、添付の特許請求項およびその等価物の範囲に入る限りにおいて、本発明は、本発明の変更および変形を包含することを意図している。
【図１】
2010044081.tif 000003
【図２】
2010044081.tif 000004
【図３】
2010044081.tif 000005
【図４】
2010044081.tif 000006
【図５】
2010044081.tif 000007
【図６】
2010044081.tif 000008
【図７】
2010044081.tif 000009
【図８】
2010044081.tif 000010
【図９】
2010044081.tif 000011